(57)【要約】【課題】  ワンタッチで、簡単に開閉をできるようにしたキャップを提供すること。【解決手段】  容器本体の外周、またはキャップ内周に、相互に係合する係合突条、または係止突条のいずれかを設け、凸部と凹部とからなる傾斜係合部、または案内突条のいずれかを設けたことを特徴とし、実施例として、容器本体が、内壁と外壁とからなり、内壁の側周壁の外周上部に、凸部と凹部とからなる傾斜係合部を設け、その下端部に係合突条を突設しており、キャップが、頂壁と側周壁とからなり、側周壁は、容器本体の傾斜係合部に接合する案内突条を設け、下端に係止突条を設けたこと、または、側周壁の上端部に係合突条が設けられ、その下側に傾斜係合部が設けられており、キャップの側周壁が、頂壁と側周壁とからなり、側周壁は上部に係合突条に係合する係止突条が設けられ、その下方に傾斜係合部に係合する案内突条が設けられていることを特徴とする。【選択図】  図１
2009179391.tif 000002
【特許請求の範囲】
【請求項１】
容器本体の外周、またはキャップ内周に、相互に係合する係合突条、または係止突条のいずれかを設け、
凸部と凹部とからなる傾斜係合部、または案内突条のいずれかを設けたことを特徴とする容器とキャップ。
【請求項２】
容器本体が、内壁と外壁とからなり、
内壁の側周壁の外周上部に、凸部と凹部とからなる傾斜係合部を設け、その下端部に係合突条を突設しており、
キャップが、頂壁と側周壁とからなり、
側周壁は、容器本体の傾斜係合部に接合する案内突条を設け、下端に係止突条を設けたことを特徴とする容器とキャップ。
【請求項３】
容器本体が、底壁と側周壁、外周壁とからなり、
側周壁の上端部に係合突条が設けられ、その下側に傾斜係合部が設けられており、
キャップの側周壁が、頂壁と側周壁とからなり、
側周壁は上部に係合突条に係合する係止突条が設けられ、その下方に傾斜係合部に係合する案内突条が設けられていることを特徴とする容器とキャップ。
【請求項４】
容器本体とキャップからなる容器であって、
容器本体の口筒部外周に、係合突条と、凸部と凹部とからなる傾斜係合部が設けられ、
キャップの外周壁内周に、係合突条に係合する係止突条と、傾斜係合部に係合する案内突条が設けられていることを特徴とする容器とキャップ。
【請求項５】
傾斜係合部、または案内突条が、一定の間隔をおいて、間欠的に配設されていることを特徴とする請求項２〜４のいずれかに記載の容器とキャップ。
【発明の詳細な説明】
【技術分野】
【０００１】
本発明は、容器のキャップ、とくにワンタッチで簡単に開蓋できるキャップに関するものである。
【背景技術】
【０００２】
容器口部に係合突条を設け、キャップ内周に、前記係合突条に係合する係止突条を設けて、キャップを押圧して被嵌することは、従来より周知であり、また、容器口部に被嵌したねじキャップにおいて、キャップの開閉に要する廻動角度を少なくするため、１回転以下の角度範囲にすることは、従来より知られている（例えば、特許文献１参照）。
【特許文献１】特開２０００−３１０４１号公報
【発明の開示】
【発明が解決しようとする課題】
【０００３】
係合突条と係止突条を設けた前述の周知の容器では、キャップの係止突条を容器口部の係合突条を乗り越えさせるので、キャップを被嵌するために、一定の押圧力が必要であった。
また、特許文献１記載の従来技術では、キャップの締着に一定角度の廻動とねじ締め力が必要であった。
【０００４】
本発明は、上記問題を考え、ワンタッチで、簡単に開閉をできるようにしたキャップを提供することを目的とする。
【課題を解決するための手段】
【０００５】
本発明は、上記の課題を解決するため、容器とキャップとして、容器本体の外周、またはキャップ内周に、相互に係合する係合突条、または係止突条のいずれかを設け、凸部と凹部とからなる傾斜係合部、または案内突条のいずれかを設けたことを特徴とする構成を採用する。
【０００６】
容器とキャップの具体的な実施例として、容器本体が、内壁と外壁とからなり、内壁の側周壁の外周上部に、凸部と凹部とからなる傾斜係合部を設け、その下端部に係合突条を突設しており、キャップが、頂壁と側周壁とからなり、側周壁は、容器本体の傾斜係合部に接合する案内突条を設け、下端に係止突条を設けたことを特徴とする構成を採用する。
【０００７】
容器とキャップの他の実施例として、容器本体が、底壁と側周壁、外周壁とからなり、側周壁の上端部に係合突条が設けられ、その下側に傾斜係合部が設けられており、キャップの側周壁が、頂壁と側周壁とからなり、側周壁は上部に係合突条に係合する係止突条が設けられ、その下方に傾斜係合部に係合する案内突条が設けられていることを特徴とする構成を採用する。
【０００８】
容器とキャップの他の実施例として、容器本体とキャップからなる容器であって、容器本体の口筒部外周に、係合突条と、凸部と凹部とからなる傾斜係合部が設けられ、キャップの外周壁内周に、係合突条に係合する係止突条と、傾斜係合部に係合する案内突条が設けられていることを特徴とする構成を採用する。
【０００９】
傾斜係合部と案内突条の実施例として、傾斜係合部、または案内突条が、一定の間隔をおいて、間欠的に配設されていることを特徴とする構成を採用する。
【発明の効果】
【００１０】
本願発明は、容器本体の外周に係合突条と傾斜係合部を設け、キャップ内周に、係合突条に係合する係止突条と、傾斜係合部に係合する案内突条を設けているので、キャップを押込むと、傾斜係合部と案内突条の係合によって廻動し、キャップを押下げる力が働き、係止突条が係合突条を乗り越えるのを容易にすることができる。
また、開蓋にあたっては、キャップを僅かに廻動させると、係合突条と係止突条の係合が外れ、簡単に開蓋することができる。
そのため、キャップの開閉がワンタッチでできるようになった。
【発明を実施するための最良の形態】
【００１１】
次に本発明の実施形態ついて、実施例をあげ、図面を参照して説明する。
【実施例１】
【００１２】
図１において、Ａは容器本体、Ｂはキャップである。 
容器本体Ａは、内壁１と外壁２とからなり、内壁１は、底壁３と側周壁４とを具え、側周壁４の上端は、開口５を形成している。
【００１３】
図１、２に示すように、外壁２は、上筒部６と拡径された下筒部７とからなり、上筒部６は、開口５と接続する傾斜壁８と係止筒部９とを具えており、係合筒部９には、上下に螺旋状に延びる凸条１０ａと凹部１０ｂとからなる傾斜係合部１１が設けられ、その下方には、係合突条１２が形成されている。
下筒部７は、上端に段部１３を設け、拡径された外周壁１４によって形成されている。
【００１４】
図３に示すように、キャップＢは、頂壁１５と側周壁１６とからなり、側周壁１６の内周には、頂壁１５と容器本体Ａの開口５との間に挟着するパッキン１７を装着するために膨出突条１８が突設され、その下方には、容器本体Ａの傾斜係合部１１の凹部１０ｂに挿入され、凸条１０ａに係合する案内突条１９が、間欠的、または全周にわたって設けられている。
側周壁１６の下端内周には、係合突条１２と係合し、その下側に接合する係止突条２０が設けられている。
【００１５】
次に、本実施例容器の使用態様と作用効果について説明する。
本発明の容器本体Ａには、クリームなどの化粧料が収納され、パッキン１７を介してキャップＢが閉じられている。
【００１６】
キャップＢの開蓋にあたっては、キャップＢを僅かに廻動させると、傾斜係合部１１の凸条１０ａと案内突条１９との接合により押上げ力が作用し、係止突条２０が、容器本体Ａの係合突条１２を乗り越え、次いで、キャップＢを上方に引上げると、傾斜係合部１１と案内突条１９との作用により、自然に廻動しながら上昇する。
【００１７】
係止突条２０が、係合突条１２を乗り越えるための廻転量は、傾斜係合部１１と案内突条１９の傾斜度に対応させて設定でき、傾斜度を大きくしたときには、僅かな廻動によって簡単にキャップを開蓋することができる。
図示された実施例では、約６０度近くになっているが、３０〜６０度の範囲とすることができる  
【００１８】
キャップＢを閉じるときには、キャップＢを容器本体Ａの係止筒部９に被嵌し、押下げていくと、キャップＢは、案内突条１９が容器本体Ａの傾斜係合部１０に係合し、廻動しつつ下降し、係止突条２０は、係合突条１２を乗り越えてその下側に接合し閉蓋される。
そのため、キャップＢの開閉は、小さい力で閉じることができる。
【実施例２】
【００１９】
次に、係合突条の位置を変更した第２実施例について説明する。
図４、５において、Ａａは容器本体、Ｂａはキャップである。
【００２０】
容器本体Ａａは、底壁３０と側周壁３１、側周壁３１の中間から突出する段部３２と、段部３２の周縁から垂設された外周壁３３とからなっている。
側周壁３１の上端は、開口３４となっており、その下方の上部外周には、係合突条３５が設けられている。
係合突条３５の下方には、所定の間隔をおいて、段部３２まで達する凸部３６ａと、凹部３６ｂよりなる螺旋状の傾斜係合部３７が、設けられている。
外周壁３１の下端は、接地端３８となっている。
【００２１】
キャップＢａは、図６に示すように、頂壁４０と側周壁４１とからなり、側周壁４１の内周上端部には、頂壁４０と、容器本体Ａａの開口３４との間に挟着するパッキン４２を支持するための膨出突条４３が突設され、その下方に容器本体Ａａの係合突条３５と係合し、その下側面に係合する係止突条４４が突設されている。
係止突条４４の下方には、側周壁４１の下端まで延び  容器本体Ａａの傾斜係合部３７に係合する案内突条４５が設けられている。
【００２２】
次に、本実施例の作用効果について説明する。
キャップの閉蓋にあたっては、キャップＢａを容器本体Ａａの側周壁３１に被嵌し、押込んでいくと、キャップＢａの案内突条４５が、容器本体Ａａの傾斜係合部３７の凸部３６ａによって案内され、廻動されながら下降し、キャップＢａの係止突条４４が、容器本体Ａａの係合突条３５に係合し、次いで乗り越えて下降し、パッキン４２を閉め、係止突条４４の上側面が係合突条３５の下側面に接合し、閉蓋する。
その際、押下げ力に付加して、廻動によって傾斜係合部３７により案内突条４５の押下げに力が加わるので、閉蓋のための力は少なくなり、キャップＢａを小さな力で閉じることができる。
【００２３】
また、開蓋にあたっては、キャップＢａを廻動することによって、傾斜係合部３６と案内突条４５との間にキャップに対する上昇力が生じ、キャップＢａの係止突条４４が、係合突条３５を容易に乗り越えることができ、キャップの閉蓋が容易になる。
【００２４】
前記各実施例では、傾斜係合部と案内突条は、全周にわたって配設されているが、複数の案内突条を間欠的に、等間隔に配設してもよい。
また、傾斜係合部を、間欠的に、等間隔に配設し、キャップの案内突条を全周にわたって配設してもよい。
キャップを被嵌したときに、傾斜係合部と、案内突条を係合させることができればよいので、傾斜係合部と案内突条の配設数、位置は、実施例に限定されない。
【００２５】
さらに、案内突条の長さについても、キャップを押下げたときに、下端が傾斜係合部に係合できればよいので、短い突起であってもよい。
【実施例３】
【００２６】
次に、傾斜係合部と案内突条を、ボトルの口部とキャップに応用した第３実施例について説明する。
図７において、Ａｂはボトル、Ｂｂはキャップである。
【００２７】
ボトルＡｂの口筒部５０外周には、その上端部に係合突条５１が設けられ、その下方に一定の間隔をおいて、螺旋状の傾斜係合部５２が設けられている。
傾斜係合部５２は、リード角を大きくとり、約６０度としたねじであって、ねじ山（凸部）５３ａと谷部（凹部）５３ｂによって形成されている。
傾斜係合部５２の下方には、ネックリング５４が設けられ、容器肩部に連設している。
【００２８】
キャップＢｂは、頂壁５５と側周壁５６とからなり、頂壁５５には、密封リングが垂設されている。
側周壁５６内周には、上部に係合突条５１に係合する係止突条５７が設けられ、下方部には、下端部５８に達する案内突条５９が設けられている。
案内突条５９は、キャップ締め付け時に、下端部の全てが傾斜係合部５２の谷部５３ｂ（凹部）に嵌挿されればよく、間欠的に設けられてもよい。
【００２９】
第３実施例の作用効果は、係合突条と係止突条が容器口部の上端部に位置しているので、気密性を高めることができる。
キャップの開閉にあたっては、前記各実施例と同様の作用効果を得ることができる。
【００３０】
上記実施例では、ボトル口筒部５０の上端部に係合突条５１を設け、キャップＢｂ内周の上部に係止突条５９を設けたが、第１実施例と同様に、口筒部５０の係合突条５１を傾斜係合部５２の下方に設け、キャップＢｂの係止突条５７を案内突条５９の下方、側周壁５６の下端部に設けるようにしてもよい。
その作用効果は、前記各実施例と同様である。  
【産業上の利用可能性】
【００３１】
本発明は、容器本体に、係合突条と傾斜する傾斜係合部と、キャップ内周に係止突条と案内突条を設けることによってキャップの開閉力を小さくすることができる。
そのため、本発明は、化粧料容器を始め、各種の容器に広く利用することができる。
【図面の簡単な説明】
【００３２】
【図１】本発明第１実施例容器の一部断面立面図である。
【図２】容器本体の説明図で、（ａ）は上面図、（ｂ）は側面図である。
【図３】キャップの説明図で、（ａ）は一部断面立面図、（ｂ）は底面図である。
【図４】第２実施例容器の一部断面立面図である。
【図５】容器本体の説明図で、（ａ）は上面図、（ｂ）は側面図である。
【図６】キャップの説明図で、（ａ）は一部断面立面図、（ｂ）は底面図である。
【図７】ボトルの説明図で、（ａ）は一部断面立面図、（ｂ）は上面図である。
【図８】キャップの一部断面立面図である。
【符号の説明】
【００３３】
Ａ、Ａａ          容器本体
Ａｂ              ボトル
Ｂ、Ｂａ、Ｂｂ    キャップ
１                内壁
２                外壁
３、３０          底壁
４、１６、３１、４１、５６  側周壁
５、３４          開口
６                上筒部
７                下筒部
８                傾斜壁
９                係止筒部
１０ａ、３６ａ    凸部
１０ｂ、３６ｂ    凹部
１１、３７、５２  傾斜係合部
１２、３５、５１  係合突条
１３、３２        段部
１４、３３        外周壁
１５、４０、５５  頂壁
１７、４２        パッキン
１８、４３        膨出突条
１９、４５、５９  案内突条
２０、４４、５７  係止突条
３８              接地端
５０              口筒部
５３ａ            ねじ山（凸部）
５３ｂ            谷部（凹部）
５８              下端部
【図１】
2009179391.tif 000003
【図２】
2009179391.tif 000004
【図３】
2009179391.tif 000005
【図４】
2009179391.tif 000006
【図５】
2009179391.tif 000007
【図６】
2009179391.tif 000008
【図７】
2009179391.tif 000009
【図８】
2009179391.tif 000010